(57)【要約】      （修正有）【課題】コイルワイヤだけでなく渡り線もさらに正確に配置することを可能にし、アーマチュアの不平衡質量を減少させ、コイルおよびアーマチュアの製造をより容易にするモータを提供する。【解決手段】アーマチュアは、複数の歯１２と複数の空洞２００とを備え、空洞２００のそれぞれは複数の歯１２のうちの２つの間に構成され、複数の空洞のうちの少なくとも１つが少なくとも１つの空洞の壁部分に隣接したコイル巻線３０を受け取るように形成および構成される。複数の空洞２００のうちの少なくとも１つは渡り線レセプタ２４０を備える。【選択図】図３
2014011957.tif 000002
【特許請求の範囲】
【請求項１】
電気モータのためのアーマチュアであって、前記アーマチュアは、複数の歯と複数の空洞とを備え、前記空洞のそれぞれの空洞は、前記複数の歯のうちの２つの間に構成され、前記複数の空洞のうちの少なくとも１つが、前記少なくとも１つの空洞の壁部分に隣接したコイル巻線を受け取るように形成および構成され、前記複数の空洞のうちの前記少なくとも１つは渡り線レセプタを備える、アーマチュア。
【請求項２】
前記複数の空洞のうちの前記少なくとも１つは半径方向の最も内側の壁部分を有し、前記渡り線レセプタは前記半径方向の最も内側の壁部分において構成される、請求項１に記載のアーマチュア。
【請求項３】
前記渡り線レセプタは渡り線を受け取るために前記複数の空洞のうちの前記少なくとも１つの空洞の壁部分に凹所を備える、請求項１または請求項２に記載のアーマチュア。
【請求項４】
前記渡り線レセプタは前記渡り線の直径と略同じ深さを有する、請求項３に記載のアーマチュア。
【請求項５】
前記渡り線レセプタは前記渡り線の直径よりも大きい深さを有する、請求項３に記載のアーマチュア。
【請求項６】
前記渡り線レセプタは少なくとも１つの渡り線のための誘導面を有する、請求項１〜請求項５のうちのいずれか１項に記載のアーマチュア。
【請求項７】
前記少なくとも１つの空洞はコイルワイヤを巻くための２つの周方向に略対向する誘導壁部分を有する、請求項１〜請求項６のうちのいずれか１項に記載のアーマチュア。
【請求項８】
前記２つの周方向に略対向する誘導壁部分は径方向内側に向かって先細りにされた先細りの空洞を形成する、請求項７に記載のアーマチュア。
【請求項９】
前記渡り線レセプタは、周方向に略対向する第１の壁部分と第２の壁部分とを備え、前記第１の壁部分と第２の壁部分は径方向外側に向かって先細りにされた先細りのレセプタを形成する、請求項１〜請求項８のうちのいずれか１項に記載のアーマチュア。
【請求項１０】
前記渡り線レセプタは、周方向に対向する第１の壁部分と第２の壁部分とを備え、前記第１の壁部分と第２の壁部分は互いに対して略平行に構成される、請求項１〜請求項８に記載のアーマチュア。
【請求項１１】
前記渡り線は前記コイルワイヤの末端部分である、請求項１〜請求項１０のうちのいずれか１項に記載のアーマチュア。
【請求項１２】
請求項１〜請求項１１のうちのいずれか１項に記載のアーマチュアを備える電気モータ。
【請求項１３】
電気モータのアーマチュア上にワイヤを配置するための方法であって、前記方法は、
ａ．前記アーマチュアの少なくとも１つの空洞に構成された渡り線レセプタに少なくとも１つの渡り線を配置することと、
ｂ．前記少なくとも１つの空洞のコイル誘導壁部分上にコイルワイヤでコイルを形成することと、
を有する、方法。
【請求項１４】
前記渡り線レセプタは前記少なくとも１つの空洞の前記半径方向で最も内側の壁部分に作られる、請求項１３に記載の方法。
【請求項１５】
前記少なくとも１つの渡り線を配置することは、第１の空洞に前記コイルワイヤでコイルを形成する前に行われ、
前記少なくとも１つの渡り線を配置することは、前記第１の空洞とは異なる空洞に前記コイルワイヤでコイルを形成した後に行われる、請求項１３または請求項１４に記載の方法。
【発明の詳細な説明】
【技術分野】
【０００１】
本開示は電気モータに関する。本開示は特に、電気モータのためのアーマチュアと、アーマチュア上の渡り線およびコイルワイヤの構成とに関する。
【背景技術】
【０００２】
ブラシ付き電気モータのアーマチュアは、アーマチュアの歯に必要とされる磁化を提供するためにアーマチュアの歯の周りに巻かれたコイルを備える。歯の磁化はコイルを通る電流を加えることによって行われる。コイルはブラシとコミュテータとを介して一般的に公知の方法で電気的に接触させられる。電気モータは少なくとも２つのコイルと２つの歯とを有するが、現在の電気モータは例えば４つ以上の歯などの複数の歯を有する。コイルは、それぞれの歯または複数の歯の周りに巻かれ、コミュテータを介して個々に対処される。
【０００３】
アーマチュアはシャフトの周りに構成された複数の歯を有すると考えられてもよいが、アーマチュアは、アーマチュアの歯の間に構成された複数の空洞を有すると考えられることも出来る。コイルワイヤに加えて、いわゆる渡り線が歯の間の空洞に構成される。渡り線は、コミュテータにコイルを接続すると共にコミュテータのシングルバーを電気的に均一にするために使用される。コイルワイヤおよび渡り線の互いに対する構成は製造方法または製造順序に依存する。渡り線およびコイルの構成は、渡り線がコイルの構成の前に配置されたか、またはコイルの構成後に配置されたかに依存して異なる。これにより、コイルワイヤおよびコイルの位置が正確に決定されることが出来ず、製造順序が考慮されなければならないという不利な点を有する。製造順序が考慮されなかった場合には、一部の空洞内で、渡り線は、コイルが構成されると考えられる位置に配置されるので、規則正しく歯にコイルを巻くことが困難であり、これにより、無秩序なワイヤの交差部、端の巻きの高さの増加、モータの不平衡や効率の低下などの負の影響をいくつか有する。
【発明の概要】
【課題を解決するための手段】
【０００４】
従来技術の不利な点を克服することが本発明の目的である。
【０００５】
本発明は、電気モータのためのアーマチュアと、こうしたアーマチュアを有する電気モータと、その製造のための方法とを提案する。アーマチュアは複数の歯と複数の空洞またはスロットとを備える。空洞のそれぞれは外周面に構成される。空洞が複数の歯のうちの２つの歯の間に構成されることにより、アーマチュアを形成する。複数の空洞のうちの少なくとも１つが少なくとも１つの空洞／歯の壁部分に隣接したコイル巻線を受け取るように形成および構成される。壁部分は複数の歯のうちの１つの壁であってもよい。複数の空洞のうちの少なくとも１つは渡り線レセプタを備える。渡り線レセプタは一本、もしくは複数のワイヤを受け取るための凹所によって作られる。
【０００６】
空洞内または歯の間の渡り線レセプタは所定の位置に渡り線を配置し、誘導し、および／または支持するために使用されてもよい。これが、コイルワイヤだけでなく渡り線もさらに正確に配置することを可能にし、これにより、アーマチュアの不平衡質量を減少させ、コイルおよびアーマチュアの製造をより容易にする。渡り線は渡り線レセプタにおいて別々に構成されるので、ワイヤを交差させることなくコイルとアーマチュアとを構築することも可能であり、これが、サイズ、すなわちアーマチュアの半径を減少させることを可能にする。本発明はより小さくより軽量なモータの設計を助ける。
【０００７】
渡り線レセプタは空洞の壁部分に凹所または溝の形態を有してもよい。凹所は半径方向の最も内側の面または空洞の底部に作られてもよい。渡り線レセプタは１つまたは複数の渡り線を巻き取ると共に渡り線を適切な場所で維持するために充分な大きさであり得る。従って、渡り線レセプタまたは溝の断面は渡り線または複数の渡り線の直径と同じ桁の大きさであり得る。
【０００８】
渡り線レセプタはまた、例えば、空洞内に配置されたクランプまたはワイヤホルダなどの異なる形状を有してもよい。
【０００９】
渡り線レセプタは円周方向に渡り線を維持し支持するための誘導面を有してもよい。１つまたは２つの渡り線レセプタが提供されてもよく、２つの渡り線が１つの渡り線レセプタに共に構成されてもよく、別々の渡り線レセプタが各渡り線に提供されてもよい。
【００１０】
本開示はまた電気モータのためのロータまたはアーマチュアを製造するための方法に関する。方法は電気モータのアーマチュア上に電気ワイヤを構成することを包含する。方法はアーマチュアの空洞に構成された渡り線レセプタに少なくとも１つの渡り線を配置することを包含する。空洞はアーマチュアの２つの歯の間に作られる。方法はさらに少なくとも１つの空洞のコイル誘導面上にコイルワイヤを巻くことを包含する。コイル誘導面は空洞の壁部分であってもよく、複数の歯のうちの１つによって作られてもよい。
【００１１】
アーマチュアの空洞において構成された渡り線レセプタに少なくとも１つの渡り線を配置することは、少なくとも１つの空洞のコイル誘導面上にコイルワイヤを巻く前、またはその後に行われてもよい。コイルワイヤの最終的な位置は両方の場合で同じままである。すなわち、製造順序は歯の上や空洞におけるコイルワイヤの位置には影響がなく、これにより、コイルが、歯の上で規則正しく巻かれたコイルワイヤで作られる。規則正しく巻かれたコイルワイヤはコイルの抵抗を下げることが出来、これがモータの効率を改善する。
【００１２】
少なくとも１つの渡り線と巻線とを配置することが、結果を変えることなく任意の順序で行われることが出来る。少なくとも１つの渡り線の配置は第１の空洞にコイルワイヤのコイルを巻く前に行われてもよく、少なくとも１つの渡り線の配置は第１の空洞にコイルワイヤのコイルを巻く後に行われてもよい。製造順序は歯の上や空洞におけるコイルワイヤの位置には影響がないため、コイルワイヤの最終的な位置は両方の場合で同じままである。
【図面の簡単な説明】
【００１３】
本発明は図面に関して与えられる以下の詳細な説明を読んだ時により良く理解され得る。
【００１４】
【図１】アーマチュアを有する従来の電気モータの断面を示す。
【００１５】
【図２】従来のアーマチュアの断面の一部を示す。
【００１６】
【図３】本発明の第１の実施形態に従ったアーマチュアの断面の同じ部分を示す。
【００１７】
【図４】本発明の第２の実施形態に従ったアーマチュアの断面の同じ部分を示す。
【発明を実施するための形態】
【００１８】
本開示の例がここでさらに詳細に記載される。これらの例の全ての特徴が本発明を実行するために実装される必要なわけではないことと、当業者はアーマチュアおよび電気モータの用途に応じて特徴を改変、追加、または省略することとを留意されたい。
【００１９】
図１は本発明が実装されてもよい電気モータ２を示す。電気モータは、従来の電気モータであってもよく、回転シャフト８上に構成されたアーマチュア１０を有するロータ３を備える。複数の接触要素を有するコミュテータ６もまた通常の方法で回転シャフト８上に配置される。アーマチュア１０はシャフト８の回転軸の周りに構成された複数の歯１２を備える。歯１２は、マッシュルームの様な形状を有してもよく、当該分野において公知の磁化可能な材料から作成され得る。本明細書において具体的には述べられていない電気モータの全部品は、当該分野において公知のあらゆる電気モータにあるようなものであり得る。
【００２０】
図２は従来のアーマチュアの断面の一部を示す。コイルワイヤ３０のうちの少なくとも１つのコイルが歯１２の磁化可能な材料を磁化させるために各歯１２の周りに巻かれる。コイルは被覆された歯１２上に直接巻かれてもよく、またはコイルは歯１２の表面上に構成された絶縁体上に巻かれてもよい。各歯１２は（図２に示されるように）コイルワイヤを巻くための２つの略平行な誘導壁部分１３を有する。これらの誘導壁部分１３はまた円周方向で歯１２の両側に構成された空洞の壁部分を作る。空洞はさらに半径方向の最も内側の壁部分１４を含み、半径方向の最も内側の壁部分１４は、誘導壁部分１３の間に構成され、円周方向に延伸する。コイルワイヤ３０は、ロータ３の回転の間に、所定の方法で、対応する歯を磁化させるように渡り線４１、４２によってコミュテータの選択された接点に接続される。
【００２１】
渡り線４１、４２はコイルワイヤ３０の末端部であってもよく、コイルワイヤと同じ材料から作られてもよい。渡り線４１、４２は、コイルワイヤ３０と比較して同じ直径または異なる直径の断面を有してもよい。
【００２２】
渡り線４１、４２はまた図２に示されるように２つの歯１２の間の空洞２０の中においていずれかの場所に構成される。空洞の中の渡り線４１、４２の位置は、製造ステップの順番または順序に依存する。コイルワイヤ３０が渡り線４１を配置する前に歯１２の周りに巻かれた場合には、渡り線４１は図２の左手側に示されるようにコイルワイヤの上部において構成される。渡り線４２がコイルワイヤ３０を巻く前に空洞内に配置される場合には、渡り線４２は異なるように配置される。この場合、渡り線４２は空洞２０の誘導壁部分１３に直接構成され、コイルワイヤ３０は渡り線４２の上部において巻かれる（図示せず）。この渡り線４２の構成が図２における空洞２０の右手側に示される。
【００２３】
渡り線４１、４２の位置、従って、コイルワイヤ３０の位置は、製造の順序、すなわち、渡り線４１、４２がコイルワイヤを巻く前、または巻いた後に配置されたかに依存する。製造順序はアーマチュアの製造を複雑にする製造においては考慮されなければならない。製造順序が考慮されなかった場合には、一部の空洞２０においては、渡り線４２が、コイルが構成されると考えられる位置で構成されるので、歯１２上でコイルを規則正しく巻くことが困難であり、これにより、無秩序なワイヤ交差部、端の巻きの高さの増加、モータの不平衡や効率の低下などの負の影響をいくつか有する。製造順序が考慮された場合であっても、特にロータ３が回転している時には、渡り線４１、４２は容易に動き得るので、歯１２上に規則正しくコイルを巻くことはまた困難である。無秩序に巻かれたコイルワイヤ３０はコイルの抵抗を増やし、モータの効率を低下させる。
【００２４】
図３はアーマチュア１０に関する図２と同じ部分のアーマチュア１００を示す。図２のアーマチュア１０とは異なり、図３のアーマチュア１００は空洞またはスロット２００の半径方向で最も内側の壁部分１４０において溝または凹所を提供する。溝または凹所は、渡り線４１０および４２０が適切な場所に配置され、誘導され、そして維持されるチャネルの形態を有してもよい。渡り線レセプタ２４０は半径方向の最も内側の壁部分１４０において構成されるので、コイル３０を巻く空間は影響を受けない。従って、渡り線４１０および４２０はコイルワイヤ３０から充分に離され、そして、歯１２の周りにコイル３０を巻く前、または巻いた後に溝または凹所に配置されることが出来る。渡り線４１０および４２０とコイルワイヤ３０とは、製造順序に関わらず、常に同じ場所に配置される。これが、コイルワイヤ３０と渡り線４１０および４２０とのより正確な構成を可能にし、製造プロセスをより柔軟性のあるものにすることが出来る。アーマチュア１００はより小型に設計されることが出来、より小さい直径のアーマチュアが達成され、より小さくより軽量なモータとすることとなり得る。歯１２における磁場がより正確に発生させられることが出来、アーマチュア１０の不均衡質量のフライウェイトを減少させることが出来る。さらに、コイルワイヤは歯の周りに規則正しく巻かれることが出来、これにより、コイルの抵抗を下げ、モータの効率を改善することが出来る。
【００２５】
渡り線レセプタ２４０は渡り線４１０および４２０の直径に対応する深さを有する。渡り線レセプタ２４０は渡り線４１０および４２０の直径よりも大きい深さを有してもよく、または少なくとも渡り線４１０および４２０の直径の半分よりも大きい深さを有してもよい。渡り線４１０および４２０の直径に対応するか、またはそれよりも大きい深さを有する渡り線レセプタ２４０は、渡り線４１０および４２０が渡り線レセプタ２４０内で保持されることを確実にすることが出来る。渡り線レセプタの断面形状は径方向内側に位置する底部部分２４４と周方向に略対向する第１の壁部分２４１と第２の壁部分２４２とを備えてもよい。第１の壁部分２４１と第２の壁部分２４２とはアーマチュアの円周方向において渡り線４１０および４２０に対するサポートをそれぞれ提供してもよい。これが、第１の壁部分２４１に対する第１の渡り線４１０の正確で安定した配置を可能にし、第２の壁部分２４２に対する第２の渡り線４２０の正確で安定した配置を可能にする。渡り線レセプタ２４０は第１の壁部分２４１と第２の壁部分２４２の間に、２つの渡り線４１０および４２０を巻き取るために充分な幅を有してもよい。
【００２６】
第１の壁２４１と第２の壁２４２とは底部部分２４４に対して略垂直に構成され、長方形の断面の渡り線レセプタ２４０としてもよい。図３に示されるように、先細りの断面の渡り線レセプタ２４０を提供することが有利である。渡り線レセプタの幅は、底部部分と比較して、空洞に対して開いている上部側において小さくてもよい。これが、底部部分２４４とそれぞれの壁２４１、２４２とによって作られる隅において渡り線４１０、４２０を固定してより良く支持することを可能にする。
【００２７】
図３に示される例において、１つの渡り線レセプタ２４０が両方の渡り線４１０、４２０に対して使用されるが、各渡り線に別々の渡り線レセプタを提供すること、または、３つ以上の渡り線が必要とされる場合には、３つ以上の渡り線を渡り線レセプタに配置することも可能である。
【００２８】
半径方向で最も内側の面である、空洞２００の異なる位置に渡り線レセプタを配置することも可能である。
【００２９】
上で記載された空洞２００と渡り線レセプタ２４０とはあらゆる既存のアーマチュア１０に実装されることが出来、既存のアーマチュアは改変されることが出来る。
【００３０】
本開示は特定のアーマチュア１００における渡り線レセプタ２４０を示すが、他のアーマチュアが使用されることが出来ることと、本開示は特定の幾何形状のアーマチュアに関する特定の数の歯１２または空洞に限定されないこととが当業者には明らかである。
【００３１】
図４は本発明の第２の実施形態に従ったアーマチュアの断面の部分拡大図を示す。第２の実施形態においては、渡り線レセプタ２５０は第１の実施形態と比較して異なる形状を有する断面を有する。
【００３２】
第２の実施形態において、渡り線レセプタ２５０は底部部分２５４と第１の壁部分２５１と第２の壁部分２５２とを含む。第１の壁部分２５１と第２の壁部分２５２とは互いに対して略平行に構成され、第１の壁部分２５１と第２の壁部分２５２とは共に底部部分２５４に対して略垂直に配置され、略長方形の断面の渡り線レセプタ２５０となる。第１の壁部分２５１と第２の壁部分２５２とは互いに対して略平行であるので、アーマチュアを作り出すための鋳造金型の寿命がより長くなる。
【００３３】
第１の壁部分２５１と第２の壁部分２５２との間の距離は渡り線４１１の直径の２倍よりも大きく、半径方向の渡り線レセプタ２５０の深さは、渡り線４１１の直径の２倍よりも大きい。この形状があるので、渡り線レセプタ２５０は少なくとも４つの渡り線４１１を保持するには充分な大きさである。第２の実施形態において、渡り線レセプタ２５０は３つの渡り線４１１、４２１、４３１を保持している。渡り線レセプタ２５０のサイズは渡り線を保持するために特定のモータに適合するように構成されてもよい。
【００３４】
当業者は、アーマチュアを改変し、異なるロータおよび異なる電気モータにアーマチュアを適応させてもよい。例えば、上で記載された好適な実施形態はインナロータ式モータのロータコアであるが、本発明はアウタロータ式モータのロータまたはステータにも適合させることが出来る。従って、本発明の範囲は以下の特許請求の範囲によってのみ決定される。
【図１】
2014011957.tif 000003
【図２】
2014011957.tif 000004
【図３】
2014011957.tif 000005
【図４】
2014011957.tif 000006